(57)【要約】      （修正有）【課題】複数のチューナを備えて同時に複数のテレビ放送を受信できる場合に、アンテナの設置を容易にさせることが可能なテレビ放送受信装置およびテレビ放送受信装置の設定方法を提供する。【解決手段】ユーザは、アンテナ設置作業の際に、リモコンを操作してアンテナ設置補助モードを選択することにより、デマルチプレクサ１２のＣＰＵが、全チューナの受信強度を取得し、受信強度のピーク値を保持する。取得した受信強度と保持するピーク値をレーダーチャート表示し、その時点での受信可能チャネル数を表示する。【選択図】図１
2015162715.tif 000002
【特許請求の範囲】
【請求項１】
複数のテレビ放送を個別に受信するチューナと、テレビ放送の内容を記録再生する記録手段と、指定された複数のチャンネルの放送内容を前記チューナで常時受信して前記記録手段で録画させる常時録画制御手段とを備えるテレビ放送受信装置であって、
前記複数のチューナに対して個別に同時に異なるチャンネルの受信を指示する同時受信指示手段と、
前記複数のチューナが個別に同時に受信するチャンネルの受信強度を個別に取得する受信強度取得手段と、
前記受信強度取得手段が個別に取得した異なるチャンネルの受信強度を同時に表示させる受信強度表示制御手段とを具備することを特徴とするテレビ放送受信装置。
【請求項２】
前記受信強度表示制御手段は、所定の受信強度を超えるチャンネルの数を表示することを特徴とする請求項１に記載のテレビ放送受信装置。
【請求項３】
前記受信強度表示制御手段は、各チャンネルの受信強度のピーク値を保持して表示することを特徴とする請求項１または請求項２に記載のテレビ放送受信装置。
【請求項４】
前記同時受信指示手段は、受信可能な最も周波数の低いチャンネルと、受信可能な最も周波数の高いチャンネルと、その間で中間の周波数に近いチャンネルを選択することを再起的に繰り返して受信するチャンネルを選択することを特徴とする請求項１〜請求項３のいずれかに記載のテレビ放送受信装置。
【請求項５】
前記同時受信指示手段は、地域ごとにチャンネルプランを備え、同チャンネルプランに従って受信するチャンネルを選択することを特徴とする請求項１〜請求項４のいずれかに記載のテレビ放送受信装置。
【請求項６】
前記受信強度表示制御手段は、ネットワーク接続で各チャンネルの受信強度を表示させることを特徴とする請求項１〜請求項５のいずれかに記載のテレビ放送受信装置。
【請求項７】
複数のテレビ放送を個別に受信するチューナと、テレビ放送の内容を記録再生する記録手段と、指定された複数のチャンネルの放送内容を前記チューナで常時受信して前記記録手段で録画させる常時録画制御手段とを備えるテレビ放送受信装置の設定方法であって、
前記複数のチューナに対して個別に同時に異なるチャンネルの受信を指示する同時受信指示工程と、
前記複数のチューナが個別に同時に受信するチャンネルの受信強度を個別に取得する受信強度取得工程と、
前記受信強度取得工程で個別に取得した異なるチャンネルの受信強度を同時に表示させる受信強度表示制御工程とを含むことを特徴とするテレビ放送受信装置の設定方法。
【発明の詳細な説明】
【技術分野】
【０００１】
本発明は、複数のチューナを備えて同時に複数のテレビ放送を受信して常時録画可能なテレビ放送受信装置およびテレビ放送受信装置の設定方法に関する。
【背景技術】
【０００２】
複数のチャンネルのテレビ放送の受信強度を表示する技術として、特許文献５に開示されるものが知られている。同特許文献５には、一つのチューナを備えて、順次、受信対象とするチャンネルのテレビ放送を受信し、そのアンテナ強度を表示している。
また、アンテナの方向に関する技術として、特許文献１〜４に開示される技術が知られている。
【０００３】
特許文献１は、無線信号の受信状況が経時変化する様子を表示できるようにする受信状況表示装置、受信状況表示方法及び受信状況表示プログラムを開示している。特許文献１の段落００６１と図１３には「例えば図１２に示すような棒グラフや、図１３に示すようなレーダーチャート等の種々の方式でなるグラフとして当該受信状況グラフＧＲＳを表示するようにしても良い」との開示がある。
【０００４】
特許文献２は、最適な表示形態で画面表示を行うことができるようにする受信装置及び方法、並びにプログラムを開示している。特許文献２の段落００６０と図９には「スマートフォンＡは、縦長型表示と横長型表示の両方で使用可能とされるが、縦長型表示で使用する場合、スタイルａ，ｂ，ｄの３つのスタイルに対応している」との開示がある。
【０００５】
特許文献３は、アンテナの方向調整を自動ではなく、ユーザ自身が簡単に、正確に手動で調整でき、無駄な方向調整時間を省くと共に、常に迅速に最適な受信状態を得るディジタルテレビジョン放送信号受信装置を開示している。特許文献３の段落００３０と図３には「図３に示す実際のアンテナ方向に対応する形で、円周上に均等に１６の方向を配置した方向Ｄ０１〜Ｄ１６に向け、円の中心から放射線状に並べる円形配列の棒グラフを作成」との開示がある。
【０００６】
特許文献４は、地上波デジタルテレビ放送を受信可能なすべての受信チャネルに対して受信アンテナを最適な方向に調整できるようにする受信装置及び受信アンテナの方向設定方法を開示している。特許文献４の段落００３２と図１には「テレビモニタに表示される図２に示すようなアンテナ方向設定メニュー画面を見ながら受信アンテナ１の方向を一定量ずつ変えていき、受信レベルが基準レベルよりも高くなる受信チャネルが最も多くなるときの受信アンテナ１の向きを選び出せばよい」との開示がある。
【先行技術文献】
【特許文献】
【０００７】
【特許文献１】特開２００７−２８８５１５号公報
【特許文献２】特開２０１２−２３５３８０号公報
【特許文献３】特開２００６−０４１７５０号公報
【特許文献４】特開２００１−３２０７４４号公報
【特許文献５】特開２００９−０５５４６０号公報
【発明の概要】
【発明が解決しようとする課題】
【０００８】
一般に、チューナを搭載したテレビ放送受信装置のためにアンテナを設置する場合、1つのチャンネルをベストの位置に合わせると別のチャンネルが映らなかったりする。
特許文献５には、一つのチューナで受信するチャンネルを切り換え、各チャンネルの受信状況を表示しているが、順番にチャンネルを切り換えていくので時間がかかり、アンテナの方向の調整にはとうてい間に合わない。
【０００９】
また、順次切り換える環境と、同時に受信する状況では機器内の同時動作による干渉の有無など、現実の受信時と同じではないので、同視はできない。
他の特許文献１〜４においても、アンテナの設置時の補助には使用できなかった。
本発明は、複数のチューナを備えて同時に複数のテレビ放送を受信できる場合に、アンテナの設置を容易にさせることが可能なテレビ放送受信装置およびテレビ放送受信装置の設定方法に関する。
【課題を解決するための手段】
【００１０】
本発明は、複数のテレビ放送を個別に受信するチューナと、テレビ放送の内容を記録再生する記録手段と、指定された複数のチャンネルの放送内容を前記チューナで常時受信して前記記録手段で録画させる常時録画制御手段とを備えるテレビ放送受信装置であって、前記複数のチューナに対して個別に同時に異なるチャンネルの受信を指示する同時受信指示手段と、前記複数のチューナが個別に同時に受信するチャンネルの受信強度を個別に取得する受信強度取得手段と、前記受信強度取得手段が個別に取得した異なるチャンネルの受信強度を同時に表示させる受信強度表示制御手段とを具備する構成としてある。
【００１１】
前記構成において、本テレビ放送受信装置によれば、チューナは複数のテレビ放送を個別に受信することが可能であり、記録手段はテレビ放送の内容を記録再生することが可能である。そして、常時録画制御手段は、指定された複数のチャンネルの放送内容を前記チューナで常時受信して前記記録手段で録画させる。
一方、アンテナの設置時などでは、同時受信指示手段が前記複数のチューナに対して個別に同時に異なるチャンネルの受信を指示し、受信強度取得手段は前記複数のチューナが個別に同時に受信するチャンネルの受信強度を個別に取得する。そして、受信強度表示制御手段は前記受信強度取得手段が個別に取得した異なるチャンネルの受信強度を同時に表示させる。
【００１２】
本発明の態様の一例として、前記受信強度表示制御手段は、所定の受信強度を超えるチャンネルの数を表示するように構成しても良い。
テレビ放送を受信するアンテナの設置には、多様な影響があり、受信強度の変動が予期しないものであることが多く、熟練を要する。ある放送局の受信状況を良好とするために、他の放送局の受信をあきらめざるを得ないこともある。いずれの局も捨てがたいときもある。一方、全般的にはなるべく多くのチャンネルを受信したいという希望は多い。本態様によれば、所定の受信強度を超えるチャンネルの数を表示するので、チャンネルの数を多くするという目的のためには使い勝手がよい。
【００１３】
本発明の態様の一例として、前記受信強度表示制御手段は、各チャンネルの受信強度のピーク値を保持して表示するように構成しても良い。
アンテナの方向を変えれば、受信強度は変化し、通常は最も受信強度を高くできる方向に向けようとする。しかし、アンテナの方向が一定でも受信強度はそのときどきで変化するので、これに加えてアンテナの方向を変えなければいけない状況では、方向を変えたときに受信状況が改善したのかどうか判断つきにくい。このため、受信強度のピーク値も表示することでアンテナ設置時の判断材料として利用できる。
【００１４】
本発明の態様の一例として、前記同時受信指示手段は、受信可能な最も周波数の低いチャンネルと、受信可能な最も周波数の高いチャンネルと、その間で中間の周波数に近いチャンネルを選択することを、再起的に繰り返して受信するチャンネルを選択する構成としても良い。
最初に、現実に受信可能な最も周波数の低いチャンネルと、現実に受信可能な最も周波数の高いチャンネルと、その間の中間の周波数に近いチャンネルを選択すると、最大限まばらにチャンネルを選択できる。これを、再起的に繰り返す。すなわち、最低周波数と、最高周波数と、中間周波数に近いチャンネルを選んだら、それぞれの間においてさらに中間周波数に近いチャンネルを選択することを繰り返す。いくつのチャンネルを選択できるかは未定なので、選択できるだけ繰り返して受信するチャンネルを選択すればよい。このようにして、受信するチャンネル同士の間隔が広くなるようにチャンネルを選択する。複数のチューナを同時に受信させるので受信時のチューナ相互の影響もある。従って、アンテナ設置時にどのチャンネルにするかを選択するかによっても影響を受ける。そのような影響を設置者が考慮しているとしても、勘任せでは疑わしい。このため、できるだけチューナ相互の影響を排除するべく、受信するチャンネル同士の間隔が広くなるようにチャンネルを選択する。
【００１５】
本発明の態様の一例として、前記同時受信指示手段は、地域ごとにチャンネルプランを備え、同チャンネルプランに従って受信するチャンネルを選択するように構成しても良い。
受信できるチャンネルの放送が分からない時点で、同時にチューナに対して受信するチャンネルを指示しなければならないので、予め地域ごとのチャンネルプランを利用する。
【００１６】
本発明の態様の一例として、前記受信強度表示制御手段は、ネットワーク接続で各チャンネルの受信強度を表示させるように構成しても良い。
アンテナを設置する場所で受信強度を見られると設置作業も効率的である。このため、ＬＡＮなどのネットワーク接続で各チャンネルの受信強度を表示させるようにすると、無線ＬＡＮ環境を含めて多様な環境で表示を見ることができるので、設置作業の効率が向上する。
なお、表示させる際に同時に音声を伴うようにしてもよい。
【００１７】
本発明にかかる技術的思想はテレビ放送受信装置という形態のみで実現されるものではなく、例えば、上述したテレビ放送受信装置が実行する処理手順を有するテレビ放送受信装置の設定方法の発明や、上述したテレビ放送受信装置において実現される処理をハードウェア（コンピューター）に実行させるプログラムの発明としても、把握することが可能である。
【発明の効果】
【００１８】
本発明によれば、現実に複数のチューナで異なるチャンネルを同時に受信した状況で、受信強度を個別に同時に表示させるので、アンテナの設置時の作業性を向上させることが可能となる。
例えば、常時録画レコーダーのサーバーモデルなどで、チューナを多数搭載したモデルにおいて、アンテナレベル表示時には搭載しているチューナをフル活用して、同時に多チャンネルのアンテナレベルを表示させる為、従来よりも確実でよりよいセッティングが可能となる。
【００１９】
また、アンテナの設置時では、アンテナの向きを少し動かす度にテレビ画面でアンテナ表示を確認してアンテナの強弱を確認していたが、本発明の一態様によれば、テレビからの音声並びにスマートフォン等へアンテナ表示情報を転送する事により、テレビから離れた位置でもアンテナ設置が容易となる。
【図面の簡単な説明】
【００２０】
【図１】本発明の第一実施例の録画再生装置のブロック図である。
【図２】録画再生装置が実施するアンテナ設置補助処理の処理手順のフローチャートである。
【図３】アンテナ設置補助処理で表示されるレーダーチャートである。
【図４】受信チャンネルを決定する処理手順のフローチャートである。
【図５】受信チャンネルを決定する過程の模式図である。
【図６】モバイル機器で受信強度を表示する処理手順のフローチャートである。
【図７】モバイル機器で受信強度を表示する状況の模式図である。
【発明を実施するための形態】
【００２１】
（第一実施例）
図１は、本発明の一実施形態にかかるテレビ放送受信装置を適用した録画再生装置をブロック図により示している。なお、本録画再生装置はディスプレイを備えているので録画再生機能付きのテレビジョンである。
同図において、本録画再生装置１０は、六つのチューナ（デジタルチューナ）１１（１１ａ１〜１１ａ６）を備えている。各チューナ１１は、地デジチューナ、ＢＳチューナ、ＣＳチューナの機能を備えている。従って、同時に異なる六つのテレビ放送を受信できる。
【００２２】
各チューナ１１ａ１〜１１ａ６のＩＦ出力は、復調器１１ｂ１〜１１ｂ６に入力されており、復調器１１ｂ１〜１１ｂ６はＩＦ出力を復調してエラー処理まで行われた復調信号が、それぞれ個別にデマルチプレクサ１２に入力されている。復調器１１ｂ１〜１１ｂ６は、復調信号を得る過程で各チューナ１１ａ１〜１１ａ６におけるそれぞれ個別の受信強度を取得することができ、各受信強度もデマルチプレクサ１２に出力されている。
【００２３】
デマルチプレクサ１２は多重信号の分離を行うが、さらにＣＰＵやＲＯＭやＲＡＭを内蔵して所定のプログラムを実行し、各部を制御してテレビ放送の受信や録画および再生を行なうことが可能である。ＣＰＵは後述するアンテナ設置補助処理では、前記受信強度に基づいて所定の表示を行う。この表示はＯＳＤ（オンスクリーンディスプレイ）として後述するデコーダ１５に出力する。
【００２４】
マルチプレクサ１３は、録画時、受信したデジタル放送のコンテンツから録画に必要な情報を注出して再多重し、記録領域としてのＨＤＤ１４に記録させる。再生時は、デマルチプレクサ１２がＨＤＤ１４から直にデータを読み出す。ＨＤＤ１４には、デジタル放送のコンテンツを記録可能であるのに加え、予め地域ごとに設定されたチャンネルプランなどが記憶されている。なお、ＨＤＤ１４に代え、または、ＨＤＤ１４とともに記録媒体を変更可能なブルーレイディスクドライブ１４ａや、外付けのＨＤＤなどを備えても良い。
【００２５】
受信したデジタル放送のトランスポートストリームあるいはＨＤＤ１４から読み出されたデータはデコーダ１５に入力され、映像信号と音声信号とに分離され、デコードされる。デコードされた映像信号はドライバー１６に入力されてディスプレイパネル１７で映像として表示される。また、デコードされた音声信号はアンプ１８で増幅されてスピーカ１９から音声として出力される。また、デコーダ１５はデマルチプレクサ１２のＣＰＵが生成する各種のＯＳＤ表示のデータを入力し、デコードされた映像信号に重畳してドライバー１６へと出力する。
【００２６】
本録画再生装置１０に対する操作指示は、操作パネル２１を介してデマルチプレクサ１２が取得し、所定の制御に反映させる。また、リモコン２２を介する操作指示も同様に取得可能となっている。
デマルチプレクサ１２にはネットワークユニット２３が接続され、デマルチプレクサ１２はネットワークユニット２３を介して小規模ＬＡＮやインターネットへ接続することが可能である。また、デマルチプレクサ１２はサーバー機能も備えており、本録画再生装置１０に対して所定のプロトコールに準拠してアクセスすれば、対応するデータを提供することができるようになっている。例えば、ＨＤＤ１４に録画されている映像プログラムを提供するメディアサーバーとして機能したり、後述するアンテナ設置補助処理に伴ってＷＥＢサーバーとしても機能する。また、ネットワーク上の記録装置に対してＨＤＤ１４のように録画再生しても良い。
【００２７】
本実施例では、チューナ１１が複数のテレビ放送を個別に受信するチューナに相当し、ＨＤＤ１４がテレビ放送の内容を記録再生する記録手段に相当し、デマルチプレクサ１２が指定された複数のチャンネルの放送内容を前記チューナで常時受信して前記記録手段で録画させる常時録画制御手段に相当している。
デマルチプレクサ１２内のＣＰＵはＲＯＭやＨＤＤ１４に記憶されているプログラムを実行する。その中に、本録画再生装置１０の管理プログラムや初期設定プログラムも含まれ、ユーザはディスプレイパネル１７への表示に対応してリモコン２２を操作することで、希望の処理を実行させることができる。このような管理プログラムの一つとして、本発明のアンテナ設置補助モードが用意されている。
【００２８】
図２は、録画再生装置が実施するアンテナ設置補助処理の処理手順に相当するフローチャートを示している。
【００２９】
ＣＰＵは、Ｓ１００にて、アンテナ設置補助モードを選択されたか判断し、選択されている場合は以下の処理を実行する。まず、ＣＰＵは、Ｓ１０５にて、地域の設定をする。具体的には、ディスプレイパネル１７に地域を選択する指示を出し、ユーザによるリモコン２２での操作で指定される地域を取得する。次に、ＣＰＵは、Ｓ１１０にて、当該地域に対応したチャンネルプランをＨＤＤ１４から読み出す。日本国内であれば、各地域ごとに受信可能とされるテレビ放送のチャンネルが設定されているので、そのチャンネルをまとめてあるチャンネルプランを読み出す。
【００３０】
ＣＰＵは、Ｓ１１５にて、チューナ１１ａ１〜１１ａ６への受信チャンネルを割り当てる。チューナ１１ａ１〜１１ａ６へ受信チャンネルを割り当てる処理を実施しているので、Ｓ１１５を実行する処理は同時受信指示手段（工程）に相当する。受信チャンネルを割り当てられた各チューナ１１ａ１〜１１ａ６は、それぞれ受信を開始する。図示しないアンテナを介して放送電波を受信するが、アンテナの設置途中であるので、必ずしも満足な受信強度の電波が入力されているとは限らない。それでも、復調器１１ｂ１〜１１ｂ６で復調を試みる際には入力されるＩＦ出力に基づいて所定の処理を実施することで受信強度を表す信号を出力する。
【００３１】
そこで、ＣＰＵは、Ｓ１２０にて、全チューナの受信強度を取得する。上述したように、受信強度を表す信号は実際には復調器１１ｂ１〜１１ｂ６から得られるが、広義の意味ではチューナ１１ａ１〜１１ａ６と復調器１１ｂ１〜１１ｂ６との組でチューナと呼ぶものとする。このようにして受信強度を取得するＳ１２０の処理が、受信強度取得手段（工程）に相当する。
【００３２】
たとえアンテナが一定の方向を向いているとしても、受信強度は常に変化している。このため、ＣＰＵは、Ｓ１２５にて、全チューナの受信強度のピーク値を保持する。すなわち、ピーク値は各チャンネルでの受信強度の最大値であり、ＣＰＵは、最大値と現在の受信強度とを比較し、常に大きい方をピーク値として保存する。次に、ＣＰＵは、Ｓ１３０にて、受信強度とピーク値を使ってレーダーチャートを表示する。
【００３３】
図３は、アンテナ設置補助処理で表示されるレーダーチャートを図により示している。
この図では、チューナ１１ａ１〜１１ａ６が受信する六つの放送局（チャンネルに相当）に対する受信強度を表示している。相似形の七段階の六角形は外周へ向かうほど受信強度が強いことを示している。表示では０ｄＢ〜３５ｄＢの強度を読み取れるようにしている。２０ｄＢを安定して受信を維持できるための目安としている。
【００３４】
アンテナ方向１のときと、アンテナ方向２のときとを比べると、放送局ＳＴ３，ＳＴ４，ＳＴ６については、アンテナ方向１のときの方が受信強度が強いが、放送局ＳＴ１，ＳＴ２については、アンテナ方向２のときの方が受信強度は強い。放送局ＳＴ５については同じ受信強度ではあるものの、共に安定して受信できる受信強度に満ちていない。
この状況であったとすれば、ピーク値は、放送局ＳＴ１，ＳＴ２でアンテナ方向２の受信強度、放送局ＳＴ３，ＳＴ４，ＳＴ５，ＳＴ６でアンテナ方向１をつないだ形状となる。なお、放送局ＳＴ５については、アンテナ方向２も同じである。
【００３５】
また、本来の表示中は、アンテナ方向１とアンテナ方向２とが同時に表示されるわけではない。その時点におけるチューナ１１ａ１〜１１ａ６が受信している受信強度を同時にかつ個別に表示できる。このように、Ｓ１３０にて、個別に複数のチューナ１１ａ１〜１１ａ６が同時に受信している異なるチャンネルの受信強度を同時にかつ個別に表示するので、当該処理が受信強度表示制御手段（工程）に相当する。本実施例では、このレーダーチャートをディスプレイパネル１７に表示することを前提としているが、並行して音声で出力するようにしてもよい。ただし、音声の出力は補助的にはなるが、同時に全てのチューナでの受信強度を示すことはできない。
【００３６】
また、レーダーチャートの表示に加え、ＣＰＵは、Ｓ１３５にて、現時点での受信可能チャンネル数を表示する。すなわち、各チューナ１１ａ１〜１１ａ６の受信強度が、安定して受信できる受信強度を上回っている数をカウントして、現在の受信強度として表示する。アンテナ方向１の場合は、放送局ＳＴ５以外は満足しているので、「５」と表示される。
【００３７】
ディスプレイパネル１７には、常に、アンテナ設置を完了を指示できるように表示をしており、アンテナ設置を完了したら、ユーザは、リモコンを操作して、アンテナ設置補助モードの終了を選択する。当該操作がなされるまで、ＣＰＵは、Ｓ１４０にてアンテナ設置終了か判断しており、終了するまで、Ｓ１２０〜Ｓ１４０の処理を繰り返す。
このように、ユーザは、アンテナ設置作業の際に、リモコンを操作してアンテナ設置補助モードを選択することにより、デマルチプレクサ１２のＣＰＵが、Ｓ１２０〜Ｓ１３５を繰り返し、個別に複数のチューナ１１ａ１〜１１ａ６が同時に受信している受信強度を同時にかつ個別に表示させることができる。
【００３８】
（第二実施例）
第二実施例では、受信するチャンネル同士の間隔が広くなるようにチャンネルを選択する。複数のチューナを同時に受信させるので受信時のチューナ相互の影響もあり、アンテナ設置時にどのチャンネルにするかを選択するかによっても影響を受ける。このため、できるだけチューナ相互の影響を排除するべく、受信するチャンネル同士の間隔が広くなるようにチャンネルを選択する。
【００３９】
図４は、受信チャンネルを決定する処理手順をフローチャートにより示しており、図５は、受信チャンネルを決定する過程を模式図により示している。
図４に示すように、ＣＰＵは、Ｓ２００にて、指定チャンネルに絞って最適化を行うかの判断を行う。このような最適化は予め決められたチャンネルに絞るものであり、第一実施例が該当する。そして、Ｓ２０５で、予め決められたチューナの数だけ（選局したチャンネルの数だけ）、「同時に受信するチャンネル」（以下、アンテナ表示チャンネルを呼ぶ）として選択する。
【００４０】
一方、指定チャンネルに絞り込まない場合は、Ｓ２１０では、受信可能なチャンネル全てについて最適化するかを判断し、以下の処理を実行する。Ｓ２１５では、上述したのと同様に地域設定を行い、受信可能なチャンネル数とその周波数を洗い出す。Ｓ２２０では、受信可能なチャンネル数が搭載されたチューナの数より多いか判断する。受信可能なチャンネル数が搭載されたチューナの数より少なければ、Ｓ２０５で、チューナの数だけ（選局したチャンネルの数だけ）アンテナ表示チャンネルを選択する。
【００４１】
しかし、受信可能なチャンネル数が搭載されたチューナの数より多ければ、Ｓ２２５にて、受信可能周波数のうち、最大周波数のチャンネル（Ａ）と、最小周波数のチャンネル（Ｂ）をアンテナ表示チャンネルとして割り当てる。続いて、Ｓ２３０では、アンテナ表示チャンネルが搭載チューナの数より少ないか判断するが、ここではアンテナ表示チャンネルが搭載チューナの数より少なく、Ｓ２３５にて、ＡチャンネルとＢチャンネルの中間周波数に近い周波数のチャンネルＣチャンネルをアンテナ表示チャンネルに割り当てる。すなわち、受信可能な最も低い周波数のチャンネルと、受信可能な最も高い周波数のチャンネルと、その間で中間周波数に近いチャンネルを選択している。
【００４２】
Ｓ２４０にて、再度、アンテナ表示チャンネルが搭載チューナの数より少ないか判断するが、ここではアンテナ表示チャンネルが搭載チューナの数より少なく、以下は、ほぼ再起的に、Ｓ２４５にて、アンテナ表示チャンネルを決めていない空き周波数帯毎に、受信可能な最も低い周波数のチャンネルと受信可能な最も高い周波数のチャンネルとの間で中間の周波数に近いチャンネルをアンテナ表示チャンネルとして選択していく。すなわち、中間周波数の＋側（−側）について、同様に中間周波数に近いチャンネルを洗い出してアンテナ表示チャンネルに割り当てる。
【００４３】
終了するのは搭載チューナの数とアンテナ表示チャンネルの数とが一致したときであり、Ｓ２５０にて、アンテナ表示チャンネルが搭載チューナの数より少ないか判断し、少なくない（等しくなった）と判断されたときに再起的なループ処理を終える。なお、本実施例では、再起的とはこのように繰り返し判断していることを表している。
図５に沿って説明する。
【００４４】
1. 図５に示すとおり、受信可能チャンネルの最大周波数と最小周波数をまず選定する。
2. ＡとＢの中間周波数にもっとも近い周波数を取る。⇒Ｃ
3. ＡとＣの中間周波数にもっとも近い周波数取る。⇒Ｄ
4. ＣとＢの中間周波数にもっとも近い周波数取る。⇒Ｅ
5. ＤとＡの中間周波数にもっとも近い周波数を取る。⇒無い場合は飛ばす。
6. ＥとＢの中間周波数にもっとも近い周波数を取る。⇒Ｆ
7. ＤとＣの中間周波数にもっとも近い周波数を取る。⇒Ｇ
8. ＦとＢの中間周波数にもっとも近い周波数を取る。⇒無い場合は飛ばす。
9. ＥとＣの中間周波数にもっとも近い周波数を取る。⇒Ｈ
10.以下、同様に周波数をまんべんなく取れるように設定していく。
もちろんチューナの数が足りない場合は、1から順番に取れるところまで行えばよい。
【００４５】
このように、本実施例では、最低の周波数のチャンネルと、最高の周波数のチャンネルと、中間の周波数に近いチャンネルを選んだら、それぞれの間においてさらに中間の周波数に近いチャンネルを選択することを繰り返す。地域ごとにチャンネルプランはあるとしても、いくつのチャンネルを選択（受信）できるかは未定なので、選択できるだけ繰り返して受信するチャンネルを選択している。
【００４６】
（第三実施例）
第三実施例では、アンテナを設置する場所で受信強度を見られるようにして、設置作業を効率的にできるようにする。
図６は、モバイル機器で受信強度を表示する処理手順をフローチャートにより示しており、図７は、モバイル機器で受信強度を表示する状況を模式図により示している。
上述したように本録画再生装置１０は、ＷＥＢサーバーとしても機能する。このため、ネットワークユニット２３が接続されているネットワークに接続可能なネットワーク端末から、本録画再生装置１０にアクセスすることにより、受信強度を表示できる。
【００４７】
ＷＥＢサーバーとして、ＣＰＵは、Ｓ３００にて、ネットワーク端末からアンテナ受信強度の要求があるか判断する。図７に示すように、モバイル機器３０は無線ＬＡＮを介して、本録画再生装置１０と同じＬＡＮに接続できているものとする。アンテナ設置者は、このモバイル機器３０を持ち、アンテナ設置作業場所からＷＥＢサーバーである本録画再生装置１０にアクセスし、アンテナ受信強度を要求する。
【００４８】
ＣＰＵは、Ｓ３００にて、アンテナ受信強度の要求があると判断すれば、Ｓ３０５にて、モバイル機器用表示データを作成する。表示データは、画面の表示用のデータと、音声出力用の音声データである。また、モバイル機器用画面データの作成にあたり、レーダーチャートに加えて折れ線グラフを表示させるようにしても良い。表示自体はユーザがどちらか選択できるようにすればよい。また、順番に出力することにはなるものの、モバイル機器用音声データも作成する。そして、ＣＰＵは、Ｓ３１０にて、要求に応答するためにモバイル機器用表示データをモバイル機器３０に送信する。
【００４９】
モバイル機器３０の側では、インターネットのＷＥＢにアクセスするのと同様、図７に示すように、画面上に各チューナ１１ａ１〜１１ａ６での受信強度が折れ線グラフやレーダーチャートで表示される。また、同時に音声も出力される。すなわち、音声にて通知したり、スマートフォン等に表示を転送して表示させることができ、ディスプレイパネル１７が直接見えなくても、アンテナ設置作業が行えるようになる。
このように、本実施例によれば、ＬＡＮなどのネットワーク接続で各チャンネルの受信強度を表示できるようにしており、無線ＬＡＮ環境を含めて多様な環境で表示を見ることができるので、設置作業の効率が向上する。
【００５０】
以上説明したように、本発明によれば、以下のようにして受信強度を表示する。
１：搭載しているチューナのチャンネル数分だけ、受信チャンネル（放送局）を選ぶ。
２：アンテナ表示設定画面において、受信できるチューナ１個につき１つの選局チャンネルのアンテナレベル（受信強度）表示をチューナの個数分だけレーダーチャートで表示させる。
３：アンテナを動かしていった時のそれぞれの受信チャンネル（放送局）の最大アンテナレベルを取得する。
同時に視聴に最低限必要なアンテナレベルを超えるチャンネル数の変動をカウントする。
それぞれの最大値（ピーク値）をホールド表示させる。
４：同時にチャンネル数を随時音声通知及びスマートフォン等への小型機器に画面と音声を転送する。
【００５１】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００５２】
１１、１１ａ１〜１１ａ６…チューナ、１１ｂ１〜１１ｂ６…復調器、１２…デマルチプレクサ、１３…マルチプレクサ、１４…ＨＤＤ、１５…デコーダ、１６…ドライバー、１７…ディスプレイパネル、１８…アンプ、１９…スピーカ、２１…操作パネル、２２…リモコン、２３…ネットワークユニット、３０…モバイル機器、ＳＴ１〜ＳＴ６…放送局（チャンネル）。
【図１】
2015162715.tif 000003
【図２】
2015162715.tif 000004
【図３】
2015162715.tif 000005
【図４】
2015162715.tif 000006
【図５】
2015162715.tif 000007
【図６】
2015162715.tif 000008
【図７】
2015162715.tif 000009